(57)【要約】【課題】電気的ノイズ対策が必要な表示装置をスキャンルーム内に据置することなく、簡易な構成によりコストが安価となるスキャンルームにおける医療用画像の表示方法を提供する。【解決手段】スキャンルームＡを構成する壁面の開口部にはシールド板とスクリーンとを有し、撮影制御室Ｂには、ＭＲＩ装置から取得した医療用画像の画像処理および表示をおこなう画像表示制御装置とプロジェクターとを備え、画像表示制御装置の画像反転部により取得した医療画像を反転し、プロジェクターにより画像反転部により反転された反転画像をスクリーンに対して投影する。【選択図】      図１
2004180834.tif 000002
【特許請求の範囲】
【請求項１】
スキャンルーム内に設置された医療用イメージング装置から取得した医療用画像の表示をおこなうスキャンルームにおける医療用画像の表示方法であって、
前記スキャンルームを構成する壁面の一部には、開口部が形成され、該開口部にはシールド板およびスクリーンとを備え、
前記スキャンルームと離隔された撮影制御室には、前記医療用イメージング装置から取得した医療用画像に対する画像処理をおこなう画像表示制御装置と、
前記画像表示制御装置により画像処理された画像データを前記スクリーンに対して投影する投影手段とを備え、
前記画像表示制御装置は、前記画像データを反転変換する画像反転部を有し、
前記投影手段は、前記画像反転部により反転された画像データを前記スクリーンに対して投影することを特徴とするスキャンルームにおける医療用画像の表示方法。
【発明の詳細な説明】
【０００１】
【発明の属する技術分野】
この発明は、スキャンルーム内に設置されたＭＲＩ（Ｍａｇｎｅｔｉｃ  Ｒｅｓｏｎａｎｃｅ  Ｉｍａｇｉｎｇ）装置などの医療用イメージング装置により撮影された被検体の磁気共鳴イメージをスキャンルーム内に表示するスキャンルームにおける医療用画像の表示方法に関し、特に、表示装置を使用することなくスキャンルーム内に所望の画像表示をおこなうことができるスキャンルームにおける医療用画像の表示方法に関する。
【０００２】
【従来の技術】
従来から、全身の精密検査や脳腫瘍などの診断をおこなう場合には、磁気共鳴イメージング装置（以下、「ＭＲＩ装置」と言う）が広く用いられている。ＭＲＩ装置は、核磁気共鳴現象により撮影対象物の内部構造を画像化するもので、この核磁気共鳴現象を利用した撮影は生体に対して無害であるため、特に医療用の診断として有用とされている。
【０００３】
通常、このＭＲＩ装置によるＭＲＩ診断をおこなう場合には、このＭＲＩ装置をＲＦシールドを施したスキャンルーム内に設置するとともに、スキャンルームとは離隔した別室に撮影制御室を設け、この撮影制御室に据置した操作用コンソールを使用するとともに、オペレータの操作により被検体の磁気共鳴イメージング（ＭＲＩ画像）を撮影するものである。
【０００４】
また、ＭＲＩ装置が設置されたスキャンルーム内には、このＭＲＩ装置により撮影されたＭＲＩ画像を表示するＬＣＤモニタなどの表示装置が据置されている場合がある。この表示装置は、例えば、医療検査において生検やサーモセラピー（Ｔｈｅｒｍｏ−ｔｈｅｒａｐｙ）などを実施する際に、スキャンルーム内の検査技師が表示装置に表示される撮影画像を見ながら穿刺針やプローブの挿入位置（挿入方向）を確認する用途などで利用されている。
【０００５】
また、上述したようなＭＲＩ装置が設置されたスキャンルーム内で画像を表示する従来技術としては、ＭＲＩ装置の装置本体内部（ガントリ内）にスクリーンを設け、このスクリーンに対して投影機により画像を投影し、この投影により所望の画像を表示する技術（例えば、特許文献１参照）等が開示されている。
【０００６】
【特許文献１】
特開昭６４−８６９６２号公報
【０００７】
【発明が解決しようとする課題】
ところが、上述した従来技術の場合には、以下のような問題がある。すなわち、一般的にＭＲＩ装置が設置されているスキャンルーム内は、強磁場となっている。また、このＭＲＩ装置は、表示装置などの電子機器から発生する電気的なノイズの影響を受けやすいため、ＭＲＩ装置がノイズによる悪影響を受けた場合には、撮影した画像が乱れたり正確なＭＲＩ画像の取得ができなくなる恐れがあるうえ、誤診断を招く原因となるという問題がある。このため、表示装置の本体およびその表示面（ＬＣＤ画面）には、比較的強力なシールド加工が施されている。
【０００８】
また、スキャンルーム内に据置された表示装置と撮影制御室の操作用コンソールとを接続する接続ケーブルにも強力なシールド加工が施されているうえ、この接続ケーブルが貫通するスキャンルームの壁面（貫通部）には、特殊加工を施した板金からなるコネクタが設けられている。
【０００９】
以上のように、ＭＲＩ装置が設置されているスキャンルーム内にＬＣＤモニタなどの表示装置を据置する場合には、この表示装置にノイズ対策用のシールド加工などを施す必要があるためコストが嵩む原因となるという問題がある。
【００１０】
また、従来公報に記載された技術の場合においても、スキャンルーム内にはスクリーンに所望の画像を投影するための投影機を設ける必要がある。このため、前述したように投影機からの電気的なノイズによりＭＲＩ装置に対して、画像乱れや表示不良などの悪影響を及ぼす恐れがあるという問題がある。
【００１１】
そして、この場合にも投影機に対してノイズ対策としてのシールド加工などを施すなどが考えられるが、前述したと同様この場合には、シールド加工による手間や製品コストが嵩む原因となる。
【００１２】
本発明は、上記従来技術の欠点に鑑みてなされたものであって、電気的ノイズの発生原因となる表示装置をスキャンルーム内に設ける必要のないスキャンルームにおける医療用画像の表示方法を提供することを目的とする。
【００１３】
【発明を解決するための手段】
上述した課題を解決し、目的を達成するため、第１の観点にかかる発明は、スキャンルーム内に設置された医療用イメージング装置から取得した医療用画像の表示をおこなうスキャンルームにおける医療用画像の表示方法であって、前記スキャンルームを構成する壁面の一部には、開口部が形成され、該開口部には透明シールド板およびスクリーンとを備え、前記スキャンルームと離隔された撮影制御室には、前記医療用イメージング装置から取得した医療用画像に対する画像処理おこなう画像表示制御装置と、前記画像表示制御装置により画像処理された画像データを前記スクリーンに対して投影する投影手段とを備え、前記画像表示制御装置は、前記画像データを反転変換する画像反転部を有し、前記投影手段は、前記画像反転部により反転された画像データを前記スクリーンに対して投影することを特徴とする。
【００１４】
この第１の観点にかかる発明によれば、スキャンルームを構成する壁面の一部には、開口部が形成され、該開口部にはシールド板およびスクリーンとを備え、スキャンルームと離隔された撮影制御室には、医療用イメージング装置から取得した医療用画像に対する画像処理をおこなう画像表示制御装置と、画像表示制御装置により画像処理された画像データをスクリーンに対して投影する投影手段とを備えており、医療用イメージング装置から取得した医療用画像に対して、画像表示制御装置の画像処理装置により画像処理をおこない、次いで、画像反転部により取得した画像データの反転変換をおこない、この反転された画像データを投影手段により透明シールド板を通じてスクリーンに投影する。
【００１５】
【発明の実施の形態】
以下に添付図面を参照して、この発明にかかるスキャンルームにおける医療用画像の表示方法の好適な実施の形態を詳細に説明する。
【００１６】
（実施の形態１）
図１は、本発明のスキャンルームにおける医療用画像の表示方法が適用されるスキャンルームおよび撮影制御室の概略構成図を示している。また、図２は、ＭＲＩ装置により撮影された画像が投影されるシールド板およびスクリーンの詳細を示す拡大構成図、図３は画像表示制御装置の構成を示す機能ブロック図をそれぞれ示している。また、図４は、本発明における医療用画像の表示方法による処理手順を説明するフローチャートである。
【００１７】
すなわち、図１に示すようにＭＲＩ装置１１０を構成する装置本体１１０ａおよび被検体を載置するテーブル１２０はスキャンルームＡ内に設置されており、このスキャンルームＡは、ＭＲＩ装置１１０からの放射磁場の漏洩や外部からの外乱磁場の侵入を防止するために、スキャンルームＡ全体（壁面１００ａ、ｂ）がＲＦシールド（磁気シールド）により包囲されている。このＭＲＩ装置１１０による被検体に対する生検やＭＲＩ撮影は、スキャンルームＡ内の検査技師によりおこなわれる。
【００１８】
図２に示すように、スキャンルームＡを構成する壁面１００ａ、ｂのうち壁面１００ａには、矩形状の開口部２００（窓口）が設けられており、この開口部２００の内側にスクリーン２１０とシールド板２２０との対向面同士が互いに貼着或いは離隔された状態で嵌め込まれている。
【００１９】
このうちスクリーン２１０は、片面にバックコーティングが施されていないホワイトシート（ＰＶＣ）のみのスクリーンを採用する。また、このスクリーン２１０には強磁場の影響を受けにくい非金属材質が好ましい。
【００２０】
また、シールド板２２０には、光を透過させる機能を有するアクリル板などが使用され、このシールド板２２０の内部にはノイズを遮断するための複数の細かい銅線が埋設されている。このシールド板２２０およびスクリーン２１０を嵌め込む開口部２００は、従来からスキャンルームＡに形成されている監視窓を利用することができる。
【００２１】
また、本例では開口部２００の撮影制御室Ｂ側にシールド板２２０を、スキャンルームＡ側にスクリーン２１０を設ける構成としているが、これらシールド板２２０およびスクリーン２１０の配置は逆であってもよい。
【００２２】
一方、撮影制御室Ｂには、プロジェクター１３０および画像表示制御装置３００（図３）とが設けられている。画像表示制御装置３００は、ＭＲＩ装置１１０から取得された磁気共鳴イメージなどの医療画像を画像データとして画像処理をおこなうパーソナルコンピュータ３１０と、画像反転部３３０を有する画像処理装置３２０とを備えている。
【００２３】
画像反転部３３０は、ＭＲＩ装置１１０から取得された医療画像の左右を反転させた画像データとして変換する機能を有する。ここで、本例では、ＭＲＩ装置１１０から取得された医療画像に対する画像処理をおこなうための画像表示制御装置を備えたパーソナルコンピュータ３１０を設けているが、オペレータ用の操作コンソールに画像表示制御装置の機能をもたせてもよい。
【００２４】
プロジェクター１３０は、壁面１００ａに形成された開口部２００と対向する位置に据置されている。このプロジェクター１３０は、画像反転部３３０（図３）により反転された反転画像をスクリーン２１０の裏面部２１０ｂに対して投影する機能を有する。したがって、スクリーン２１０の裏面部２１０ｂに投影された撮影画像は、左右が反転された画像となっている。そして、後述するように、この左右が反転された画像は、検査技師がスキャンルームＡ側から見た場合には、正常なＭＲＩ画像として見ることができる。
【００２５】
ここで、ＭＲＩ装置１１０におけるスキャンの開始や停止、スキャン面の変更などのスキャンの制御に関するコマンドやスクリーン２１０に表示される撮影画像の切り替えをおこなうコマンドなどは、ＭＲＩ装置１１０に設けられた操作ボタン（図示せず）を操作して入力することができる。
【００２６】
また、このスクリーン２１０に表示される画像の切替は、撮影制御室Ｂ内のオペレータによる操作用コンソールやパーソナルコンピュータ３１０の操作によりおこなうこともできる。なお、本例では、画像をスクリーン２１０に投影する投影手段としてプロジェクターを採用しているが、プロジェクターに限らずその他、既存の投影機を使用することができる。
【００２７】
図４は、本発明のスキャンルームにおける医療用画像の表示方法を説明するフローチャートである。また、図５（ａ）〜（ｃ）はＭＲＩ装置１１０により撮影された被検体のＭＲＩ画像およびスクリーン２００に投影された画像を示している。以下、図４のフローチャートおよび図５（ａ）〜（ｃ）を参照して、本実施の形態１における医療用画像の表示方法における処理手順の詳細について説明する。なお、本例では、被検体の腹部に対するＭＲＩ撮影を例として説明する。
【００２８】
すなわち、図４に示すように、先ず、スキャンルームＡ内に設置されたＭＲＩ装置１１０により被検体の撮影対象部位に対する画像の撮影がおこなわれ（ステップＳ４１０）、この撮影された画像データは撮影制御室Ｂに送信されるとともに、パーソナルコンピュータ３１０（図３）の記億部に画像データとして取得される（ステップＳ４２０）。図５（ａ）は、パーソナルコンピュータ３１０により取得された被検体の画像データの一例を示している。
【００２９】
次いで、ステップＳ４２０により取得された画像データは画像表示制御装置３００（図３）の画像処理部３２０により処理されるとともに、画像反転部３３０により反転変換される（ステップＳ４３０）。このため、スクリーン２１０の裏面部２１０ｂに投影された撮影画像は、左右が反転された画像となっている。また、図５（ｂ）は、画像反転部３３０によりその左右が反転された画像データを示している。
【００３０】
以下、上述したようにステップＳ４３０により反転変換された画像データは、プロジェクター１３０によりシールド板２２０を通じてスクリーン２１０の裏面部２１０ｂに投影され、ＭＲＩ画像として映し出される（ステップＳ４４０）。そして、この左右が反転された画像は、検査技師がスキャンルームＡ側（表面部２１０ａ）から見た場合には、図５（ｃ）に示すように正常なＭＲＩ画像として見ることができる。
【００３１】
以上説明したように、本実施の形態１では、電気的ノイズの発生源となる投影手段（プロジェクター１３０）をスキャンルームＡの外部に配置し、スキャンルームＡ内にはプロジェクター１３０による投影光のみが進入可能な構成としている。このため、電気的なノイズによる悪影響を確実に回避することができる。これにより、特別なノイズ対策をおこなう必要がないため、表示装置も不要となり簡易な構成によりコストが嵩むことがなく安価となる医療用画像の表示方法を実現することができる。
【００３２】
（実施の形態２）
次に、図６を参照して本実施の形態２にかかるスキャンルームにおける医療用画像の表示方法の詳細について説明する。すなわち、図６に示すように、本実施の形態２では、スキャンルームＡの壁面１００ｂ（天井部）の内側に投影手段であるプロジェクター１３０を配置するとともに、壁面１００ｂに開口部６１１（図７）を形成し、この開口部６１１に対してシールド板６２０が嵌め込まれている。このシールド板６２０は、前記実施の形態１と同様に、複数の銅線が埋設された光透過機能を有するアクリル板などが使用される。
【００３３】
一方、図７に示すようにスクリーン６１０は、スキャンルームＡ内においてワイヤなどの吊り下げ手段（図示せず）によりプロジェクター１３０の投影面と対向する位置に設けられている。このスクリーン６１０は、未使用時には吊り下げ手段を取り外して格納することができる。
【００３４】
また、本実施の形態２において、プロジェクター１３０は、壁面１００ｂ（天井部）の内側に据置されるため、撮影制御室Ｂ内には、画像表示制御装置３００（図３）の配置とともに、この画像表示制御装置３００のパーソナルコンピュータ３１０とプロジェクター１３０とを接続する接続配線が設けられる。その他の構成は、前述した実施の形態１と同様である。
【００３５】
本実施の形態２において、プロジェクター１３０から投影された画像データは、開口部６１１に設けられたシールド板６２０を介してスクリーン６１０の裏面部６１０ｂにその左右が反転された画像として投影される。そして、実施の形態１と同様に、スクリーン６１０の裏面部６１０ｂに投影された左右が反転された画像は、検査技師がスキャンルームＡ側（表面部６１０ａ）から見た場合には、前記図５（ｃ）に示すように正常なＭＲＩ画像として見ることができる。
【００３６】
以上説明したように、本実施の形態２では、前述した実施の形態１と同様に電気的ノイズの発生源となる投影手段（プロジェクター１３０）をスキャンルームＡの外部に配置し、スキャンルームＡ内にはプロジェクター１３０による投影光のみが進入可能な構成としている。このため、ノイズによる悪影響を確実に回避することができる。これにより、特別なノイズ対策をおこなう必要がないため、表示装置も不要となり簡易な構成によりコストが嵩むことがなく安価となる医療用画像の表示方法を実現することができる。
【００３７】
なお、以上に説明した実施の形態１、２では、医療用イメージング装置として核磁気共鳴現象を利用するＭＲＩ装置を対象として説明したが、本発明は、ＭＲＩ装置以外にも、例えば、Ｘ線により断層撮影をおこなうＣＴ（Ｃｏｍｐｕｔｅｄ  Ｔｏｍｏｇｒａｐｈｙ）装置などにも好ましく適用することができる。なお、このＣＴ装置の場合には、電気的ノイズ対策の他、Ｘ線を外部に漏洩させない対策が別途必要となる。
【００３８】
【発明の効果】
上述してきたたように、本発明によれば、電気的ノイズの発生源となる投影手段をスキャンルームの外部に配置し、スキャンルーム内には投影手段による投影光のみが進入可能な構成としている。このため、ノイズによる悪影響を確実に回避することができることから画像乱れや表示不良などのない良好なＭＲＩ画像の表示を実現できるという効果を奏する。
【００３９】
また、本発明によれば、ＭＲＩ装置から取得したＭＲＩ画像をスクリーンの正面側の近距離から見ることができるため、誤診断などの問題を回避できるという効果を奏する。
【００４０】
また、本発明によれば、特別なノイズ対策をおこなう必要がないため、表示装置も不要となり簡易な構成によりコストが嵩むことがなく安価となる医療用画像の表示方法を実現できるという効果を奏する。
【図面の簡単な説明】
【図１】本発明の実施の形態１にかかる医療用画像の表示方法が適用されるスキャンルームおよび撮影制御室とを示す概略構成図である。
【図２】ＭＲＩ装置により撮影された画像が投影されるシールド板およびスクリーンの詳細を示す拡大構成図である。
【図３】画像表示制御装置の構成を示す機能ブロック図である。
【図４】本発明における医療用画像の表示方法による処理手順を説明するフロチャートである。
【図５】（ａ）は、ＭＲＩ装置により撮影された被検体のＭＲＩ画像、（ｂ）は、スクリーンに投影された被検体のＭＲＩ画像、（ｃ）は、撮影制御室から見た被検体のＭＲＩ画像である。
【図６】実施の形態２にかかる医療用画像の表示方法が適用されるスキャンルームを示す概略構成図である。
【図７】スクリーンの配置を示す拡大構成図である。
【符号の説明】
Ａ  スキャンルーム
Ｂ  撮影制御室
１００ａ、ｂ  壁面
１１０  ＭＲＩ装置
１１０ａ  装置本体
１２０  テーブル
１３０  プロジェクター
２００、６１１  開口部
２１０、６１０  スクリーン
２１０ａ、６１０ａ  表面部
２１０ｂ、６１０ｂ  裏面部
２２０、６２０  シールド板
３００  画像表示制御装置
３１０  パーソナルコンピュータ
３２０  画像処理装置
３３０  画像反転部
【図１】
2004180834.tif 000003
【図２】
2004180834.tif 000004
【図３】
2004180834.tif 000005
【図４】
2004180834.tif 000006
【図５】
2004180834.tif 000007
【図６】
2004180834.tif 000008
【図７】
2004180834.tif 000009